(57)【要約】【課題】勃起不全を解消して勃起を醸成、維持することができる勃起助勢具を提供する。【解決手段】男性器における陰茎１０の根元の上側を支点とし、肛門側を力点として、会陰部１５を押圧する。具体的には、男性器における陰茎１０の根元に挿入されるリング１と、リング１の端部から延設される押圧部材２と、押圧部材２から伸びる腕３と、人体１３に固定され前記腕３の先端を吊り上げる吊り上げ部材４とからなり、上記陰茎１０の根元の上側をリング１の上部内周に当接させて支点とするとともに、腕３の先端を吊り上げ部材４で吊り上げることにより力点として、押圧部材２で会陰部１５を押圧する。【選択図】        図１
2004357887.tif 000002
【特許請求の範囲】
【請求項１】
男性器における陰茎の根元の上側を支点とし、肛門側を力点として、会陰部を押圧することを特徴とする勃起助勢具。
【請求項２】
男性器における陰茎の根元に挿入されるリングと、リングの端部から延設される押圧部材と、押圧部材から伸びる腕と、人体に固定され前記腕の先端を吊り上げる吊り上げ部材とからなり、上記陰茎の根元の上側をリングの上部内周に当接させて支点とするとともに、腕の先端を吊り上げ部材で吊り上げることにより力点として、押圧部材で会陰部を押圧することを特徴とする勃起助勢具。
【請求項３】
リング下方を押圧部材側に向けて彎曲させるとともに、腕を上方に向けて彎曲させたことを特徴とする請求項２に記載の勃起助勢具。
【請求項４】
押圧部材がリングの下方から延設された彎曲舌形状に形成されていること特徴とする請求項２または３に記載の勃起助勢具。
【請求項５】
押圧部材に少なくとも１つ以上の会陰部のツボを押圧する突起を設けたことを特徴とする請求項２から４のいずれかに記載の勃起助勢具。
【請求項６】
上記突起が磁石であることを特徴とする請求項５に記載の勃起助勢具。
【請求項７】
吊り上げ部材が弾性体であって紐状に形成されたことを特徴とする請求項２から６のいずれかに記載の勃起助勢具。
【発明の詳細な説明】
【０００１】
【発明が属する技術分野】
本発明は、勃起助勢具に関する。
【０００２】
【従来の技術】
この種勃起助勢具は、いわゆるＥＤ（Ｅｒｅｃｔｉｌｅ  Ｄｙｓｆｕｎｃｔｉｏｎ，勃起不全）を患っている者が勃起状態を維持するために使用されており、たとえば、男性器が勃起した状態において、陰茎の根元にリングを嵌装し締め付け、陰茎の海面体内の血液が流出することを防止して、勃起状態を維持するもの（特許文献１、２参照）や、同じく男性器が勃起した状態において、陰茎の根元上部および睾丸の両側根元部を押圧して陰茎等の贅肉を押圧することにより勃起状態を維持するもの（特許文献３参照）が知られている。
【０００３】
【特許文献１】
特開平９−８４８１５号公報（発明の実施の形態欄，図３）
【０００４】
【特許文献２】
特開２００２−２８２２９１号公報（発明の実施の形態欄，図５）
【０００５】
【特許文献３】
特開２００３−８８５４１号公報（発明の実施の形態欄，図５）
【０００６】
【発明が解決しようとする課題】
上記従来の勃起助勢具では、いずれも、男性器が勃起した状態において、男性器に装着され、その勃起した状態を維持するものであるので、勃起助勢具を装着する前に、勃起状態としなくてはならないが、当該勃起助勢具を使用する者が勃起助勢具を装着するのに充分な勃起状態を醸成することができない場合もあり、そのような場合には従来の勃起助勢具を使用できず、結果的に性行為を行うことができないという問題がある。
【０００７】
そこで、本発明の目的とするところは、上記不具合を改善するために創案されたものであって、勃起不全を解消して勃起を醸成、維持することができる勃起助勢具を提供することである。
【０００８】
【課題を解決するための手段】
第１の課題解決手段における勃起助勢具は、男性器における陰茎の根元の上側を支点とし、肛門側を力点として、会陰部を押圧することを特徴とする。
【０００９】
第２の課題解決手段における勃起助勢具は、男性器における陰茎の根元に挿入されるリングと、リングの端部から延設される押圧部材と、押圧部から伸びる腕と、人体に固定され前記腕の先端を吊り上げる吊り上げ部材とからなり、上記陰茎の根元の上側をリングの上部内周に当接させて支点とするとともに、腕の先端を吊り上げ部材で吊り上げることにより力点として、押圧部材で会陰部を押圧することを特徴とする。
【００１０】
第３の課題解決手段における勃起助勢具は、第２の課題解決手段において、リング下方を押圧部材側に向けて彎曲させるとともに、腕を上方に向けて彎曲させたことを特徴とする。
【００１１】
第４の課題解決手段における勃起助勢具は、第２又は第３の課題解決手段において、押圧部材がリングの下方から延設された彎曲舌形状に形成されていること特徴とする。
【００１２】
第５の課題解決手段における勃起助勢具は、第２から第４のいずれかに記載の課題解決手段において、押圧部材に少なくとも１つ以上の会陰部のツボを押圧する突起を設けたことを特徴とする。
【００１３】
第６の課題解決手段における勃起助勢具は、第５の課題解決手段において、上記突起が磁石であることを特徴とする。
【００１４】
第７の課題解決手段における勃起助勢具は、第２から第６のいずれかの課題解決手段において、吊り上げ部材が弾性体であって紐状に形成されたことを特徴とする。
【００１５】
【発明の実施の形態】
本発明の基本形態は、図１に示すように、男性器における陰茎の根元に挿入されるリング１と、リング１の端部から延設される押圧部材２と、押圧部材２から伸びる腕３と、人体に固定され前記腕３の先端を吊り上げる吊り上げ部材４都で構成されている。
【００１６】
以下、詳細に説明すると、リング１は、図１に示すように、略楕円形状をしており、リング１の下方は、図１中右方に彎曲されている。そして、その図１中下方には、押圧部材２が延設されているが、この押圧部材２は、リング１の下方に沿うように彎曲された舌形状の板材で構成され、リング１と一体的に形成されている。また、押圧部材２の中央部にはリング１の長軸に沿って２つの突起５，５が設けられている。この突起５，５は、それぞれ半球状に形成された磁石であり、この突起５，５は押圧部材２に設けた孔２ａ，２ａに挿入され、接着して押圧部材２に固定されている。なお、突起５，５を磁石としない場合には、押圧部材２に直接突起を形成するとしてもよい。さらに、押圧部材２の下面には、腕３の基端部が接着されている。この腕３は、若干図１中上方に彎曲されており、その先端には、吊り上げ部材４を係止する引掛部３ａが設けられている。なお、本実施の形態においては、腕３は押圧部材２の下面に接着されるとしているが、腕３を押圧部材２と一体的に成形してもよく、その場合には、リング１および押圧部材２および腕３の全部が一体成形されることとなる。また、突起５，５や腕３を押圧部材２に取り付けるには、接着以外の他の周知の方法を使用してもよい。そして、上述のように構成されたリング１、押圧部材２および腕３は、全体としては図１中上方に向けて彎曲されており、人体にフィットするようになっている。
【００１７】
また、吊り上げ部材４は、一本のゴム紐等の紐状の弾性材で作られており、その中間部に輪４ａが拘束環４ｂで形成されている。そして、この輪４ａを上述の腕３の引掛部３ａに引掛けることができるようになっている。なお、この拘束環４ｂをゴム紐上でスライドさせることにより、輪４ａの大きさを拡縮することができ、輪４ａを引掛部３ａに引掛けた後に縮めれば、吊り上げ部材４が腕３から脱落してしまうことを防止することができる。
【００１８】
さて、上述のように構成された勃起助勢具は図２にしめすうように男性器に装着される。まず、男性器の平常時の陰茎１０をリング１にその根元まで挿入し、さらに、陰嚢１１をもリング１に挿入する。このとき、陰嚢１１をリング１内に挿入しつつ人体の前側、すなわち、図２中左方向に引き出して、リング１を陰茎１０の根元および陰嚢１１の裏側付根（図２中右側付根）にしっかり当接させることで、勃起助勢具が男性器にしっかり固定される。そうすると、左右の睾丸１２はリング１および押圧部材２により人体１３側押し上げられ、押圧部材２の側方（図２中紙面に向って前後）に配置される。さらに、上記状態において、腕３の引掛部３ａに係止された吊り上げ部材４の両端を背中側から腹側に廻して結びつける。すると、吊り上げ部材４は人体１３の胴回りに固定され、腕３は、吊り上げ部材４の弾性により図２中上方に吊り上げられることとなる。したがって、リング１内に陰茎１０が挿入されるとともに、吊り上げ部材４で人体に固定されるので房事中に勃起助勢具が男性器から脱落してしまうことが防止される。
【００１９】
そして、上述のように男性器に勃起助勢具が装着されると、勃起助勢具のリング１は陰茎１０の上部に当接され、他方、腕３は吊り上げ部材４により図２中上方に吊り上げられるので、ちょうど、リング１が当接している陰茎１０の上部が支点となり、かつ、腕３の引掛部３ａには吊り上げ部材４の弾性力が負荷されるので力点となり、押圧部材２は人体１３の会陰部１５に当接して、この会陰部１５を押圧するようになる。さらに、この押圧部材２は、その突起５，５で会陰部１５のツボを刺激し、かつ、左右の睾丸１２を人体１３に向けて押圧する。
【００２０】
ここで、会陰部１５は、房事に効能があるツボであることが経験的に知られており、房事の性的な刺激に加えて、この会陰部１５を刺激することにより男性器を勃起状態に導くことができる。このとき、突起５，５は、効果的に会陰部１５のツボを刺激すると同時に、磁石であるので血行を良くするから、陰茎１０内の海綿体に血液を導きやすくなり、この点でも、勃起状態に導きやすくしている。なお、突起５，５を設けずともよいが、突起５，５を設けるとした方が、上記ツボを効果的に刺激する点で有利である。したがって、吊り上げ部材４は、人体１３側に固定支持されて腕３を図２中上方、すなわち、人体１３側に向けて吊り上げる機能を有していれば良いので、必ずしも弾性材で構成される必要はなく、また、人体１３の胴回り以外の部位で指示されても良いが、弾性材で構成されることにより弾性力で会陰部１５を押圧する点、紐状に形成されることにより人体１３に固定することが簡易である点で優れている。なお、会陰部１５への刺激はさほど強くする必要はないので、装着時に会陰部１５への押圧力が過剰とならないように調整する必要があるが、吊り上げ部材４が弾性材である場合にはその調整も容易となる。
【００２１】
また、睾丸１２をも人体１３に向けて押圧することにより、この勃起助勢具を使用する者に性的な刺激を与えて、勃起を助勢することができるのである。
【００２２】
さらに、勃起助勢具の使用者が勃起状態となると、しだいに陰茎１０が拡径されるから、リング１が陰茎１０の根元上部に当接しており陰茎１０の根元上部を締め付け、さらに、押圧部材２が会陰部１５を押圧しているので、勃起状態となって海面体内に流入した血液が海綿体から流出することが抑制され、勃起状態を維持することができ、いわゆる、中折れが防止される。ちなみに、リング１は陰茎１０の根元上部を拘束するが、陰茎１０の根元全周に渡り拘束しないので、尿管を締め付けることはなく、会陰部１５を過剰に押圧部材２で押圧する必要がなく、精管を過剰に圧迫することもないので、射精時に痛みが生じることも防止されている。
【００２３】
なお、リング１が陰茎１０の根元上部に当接されることから、陰茎１０の表皮がリング１によって陰茎１０の根元に手繰り寄せられることとなり、陰茎１０を上方に突出させることができるので、この点でも勃起状態が維持され、さらに、陰茎１０の表皮が根元に手繰り寄せられるから、いわゆる包茎も矯正されることとなる。
【００２４】
また、さらに、会陰部１５が押圧されるので、精管を圧迫することができるから、射精に至るまでの時間を長くすることができるので、房事を長時間に渡り楽しむことができるようになる。
【００２５】
そして、さらに、この勃起助勢具は、陰茎が平常状態の時に装着され、房事中には装着済みであるから、勃起状態下で装着する従来の勃起助勢具に比較して、装着の最中に勃起状態が解消されてしまうという危険がない。
【００２６】
以上より、この勃起助勢具では、従来の勃起助勢具を使用できる程度に勃起状態を醸成することができない者であっても使用できるとともに、勃起することができ、結果的に性行為を行うことができるのである。
【００２７】
したがって、充分勃起することができない勃起不全を解消でき、円滑な性行為を可能として、特に夫婦、恋人間の円満なコミュニケーションを可能とすることができる。
【００２８】
また、本実施に形態においては、上述のように構成されたリング１、押圧部材２および腕３は、全体としては上方に向けて彎曲されており、人体にフィットするようになっているから、装着感もよく、使用者に違和感を与えないとともに、この勃起補助具が男性器に装着されると、房事のパートナーからは、胴部に固定された吊り上げ部材４しか見えず、また、吊り上げ部材４を紐状としておけば、目立つことはないので、房事のパートナーに勃起助勢具を使用していることを認識されずにすむという効果もある。
【００２９】
なお、この勃起助勢具は、陰茎１０が平常な状態で装着可能であるので、使用者は、房事中以外にも装着しつづけることが可能であり、日ごろから装着することにより、会陰部を常時刺激できるから、勃起不全を改善する治療器具としても使用可能である。
【００３０】
【発明の効果】
各請求項の発明によれば、会陰部を押圧するので、会陰部を刺激することができ、これにより男性器を勃起状態に導くことができる。
【００３１】
また、さらに、会陰部が押圧されるので、精管を圧迫することができるから、射精に至るまでの時間を長くすることができるので、房事を長時間に渡り楽しむことができるようになる。
【００３２】
そして、さらに、この勃起助勢具は、陰茎が平常状態の時に装着され、房事中には装着済みであるから、勃起状態下で装着する従来の勃起助勢具に比較して、装着の最中に勃起状態が解消されてしまうという危険がない。
【００３３】
以上より、この勃起助勢具では、従来の勃起助勢具を使用できる程度に勃起状態を醸成することができない者であっても使用できるとともに、勃起することができ、結果的に性行為を行うことができるのである。
【００３４】
したがって、充分勃起することができない勃起不全を解消でき、円滑な性行為を可能として、特に夫婦、恋人間の円満なコミュニケーションを可能とすることができる。
【００３５】
請求項２の発明によれば、勃起助勢具の使用者が勃起状態となると、しだいに陰茎が拡径されるから、リングが陰茎の根元上部に当接しており陰茎の根元上部を締め付け、さらに、押圧部材が会陰部を押圧しているので、勃起状態となって海面体内に流入した血液が海綿体から流出することが防止され、勃起状態を維持することができ、いわゆる、中折れが防止される。
【００３６】
なお、リングが陰茎根元上部に当接されることから、陰茎の表皮がリングによって陰茎の根元に手繰り寄せられることとなり、陰茎を上方に突出させることができるので、この点でも勃起状態が維持され、さらに、陰茎の表皮が根元に手繰り寄せられるから、いわゆる包茎も矯正されることとなる。
【００３７】
また、リング内に陰茎が挿入されるとともに、吊り上げ部材で人体に固定されるので房事中に勃起助勢具が男性器から脱落してしまうことが防止される。
【００３８】
なお、この勃起助勢具は、陰茎が平常な状態で装着可能であるので、使用者は、房事中以外にも装着しつづけることが可能であり、日ごろから装着することにより、会陰部を常時刺激できるから、勃起不全を改善する治療器具としても使用可能である。
【００３９】
そして、リングは陰茎の根元上部を拘束するが、陰茎の根元全周に渡り拘束しないので、尿管を締め付けることはなく、会陰部を過剰に押圧部材で押圧する必要がなく、精管を過剰に圧迫することもないので、射精時に痛みが生じることも防止されている。
【００４０】
請求項３の発明によれば、リング、押圧部材および腕は、全体としては上方に向けて彎曲されており、人体にフィットするようになっているから、装着感もよく、使用者に違和感を与えないとともに、この勃起補助具が男性器に装着されると、房事のパートナーからは、胴部に固定された吊り上げ部材しか見えず、また、吊り上げ部材を紐状としておけば、目立つことはないので、房事のパートナーに勃起助勢具を使用していることを認識されずにすむという効果もある。
【００４１】
請求項４の発明によれば、睾丸をも人体に向けて押圧することにより、この勃起助勢具を使用する者に性的な刺激を与えて、勃起を助勢することができるのである。
【００４２】
請求項５および６の発明によれば、突起が、効果的に会陰部のツボを刺激するので勃起状態に導きやすくしている。
【００４３】
請求項６の発明によれば、突起が磁石であるので血行を良くするから、陰茎内の海綿体に血液を導きやすくなり、この点でも、勃起状態に導きやすくしている。
【００４４】
請求項７の発明によれば、弾性材で構成されることにより弾性力で会陰部を押圧する点、紐状に形成されることにより人体に固定することが簡易である点で優れている。
【図面の簡単な説明】
【図１】一実施の形態における勃起助勢具の斜視図である。
【図２】一実施の形態における勃起助勢具を男性器に装着した状態を示す側面図である。
【符号の説明】
１    リング
２    押圧部材
３    腕
４    吊り上げ部材
１０  陰茎
１１  陰嚢
１２  睾丸
１３  人体
１５  会陰部
【図１】
2004357887.tif 000003
【図２】
2004357887.tif 000004